(57)【要約】【課題】制御用データを更新可能な画像表示装置を提供すること。【解決手段】画像情報に応じた画像を形成する画像形成手段４４１と、装置本体を制御する制御手段５６と、画像情報が入力する画像情報入力端子５７とを備えた画像表示装置は、制御用データが記録されたメモリ５２を備える。また、制御手段５６は、入力する画像情報に更新用データが含まれているか否かを判定するデータ判定部５６１と、更新用データを抽出するデータ抽出部５６２と、画像情報のヘッダ部分の画像データを基準データとして変調関数を検出する変調関数検出部５６３と、変調関数の逆関数となる復調関数を生成する復調関数生成部５６４と、復調関数を更新用データにかけて制御手段５６で読取可能な更新用データに復調するデータ復調部５６４と、復調された更新用データに基づいて、制御用データを更新するデータ更新部５６５とを備える。【選択図】  図３
2006098741.tif 000002
【特許請求の範囲】
【請求項１】
入力する画像情報に応じた画像を形成する画像形成手段と、この画像形成手段を含む装置本体を制御する制御手段と、画像情報出力機器が接続され、前記画像情報が入力される画像情報入力端子とを備えた画像表示装置であって、
前記制御手段によって前記装置本体を制御する制御用データが記憶された書換可能なメモリを備え、
前記制御手段は、
前記画像情報入力端子から入力する画像情報に前記制御用データを更新する更新用データが含まれているか否かを判定するデータ判定部と、
当該データ判定部により更新用データが含まれていると判定されると、当該更新用データを抽出するデータ抽出部と、
前記更新用データが含まれる画像情報のうち、当該更新用データが含まれていないヘッダ部分の画像データを基準データとして、当該基準データにかけられた変調関数を検出する変調関数検出部と、
検出された変調関数の逆関数となる復調関数を生成する復調関数生成部と、
生成された復調関数を、前記更新用データにかけて前記制御手段で読取可能な更新用データに復調するデータ復調部と、
復調された更新用データに基づいて、前記メモリの制御用データを更新するデータ更新部とを備えていることを特徴とする画像表示装置。
【請求項２】
請求項１に記載の画像表示装置において、
複数の変調関数と、各変調関数に対する復調関数とを対応させた参照テーブルを記憶した参照テーブル記憶部を備え、
前記復調関数生成部は、前記参照テーブルに基づいて復調関数を生成することを特徴とする画像表示装置。
【請求項３】
請求項１または請求項２に記載の画像表示装置において、
前記制御手段は、
前記変調関数検出部、前記復調関数生成部、データ復調部、および、データ更新部の実行中、前記画像形成部に、入力する画像情報に基づく画像以外のブランク画像を形成させるブランク画像形成指令部を備えていることを特徴とする画像表示装置。
【請求項４】
請求項１から請求項３のいずれかに記載の画像表示装置において、
前記更新用データが含まれる画像情報は、当該更新用データが含まれていないフッタ部分に、フッタ画像データを備え、
前記制御手段は、前記データ判定部により前記フッタ画像データを検出し、前記データ抽出部により更新用データを抽出し、前記変調関数検出部により変調関数を検出し、前記復調関数生成部により復調関数を生成し、前記データ復調部により前記更新用データを復調し、前記データ更新部により前記制御用データを更新すると、前記制御用データの更新終了を認識する終了認識部を備えていることを特徴とする画像表示装置。
【請求項５】
請求項１から請求項４のいずれかに記載の画像表示装置において、
前記制御手段は、前記データ復調部で復調された前記更新用データに、復調誤りがないかどうかを判定する復調正誤判定部を備えていることを特徴とする画像表示装置。
【発明の詳細な説明】
【技術分野】
【０００１】
本発明は、入力する画像情報に応じた画像を形成する画像形成手段と、この画像形成手段を含む装置本体を制御する制御手段と、画像情報出力機器が接続され、前記画像情報が入力される画像情報入力端子とを備えた画像表示装置に関する。
【背景技術】
【０００２】
従来、会議、学会、展示会等でのプレゼンテーション等にプロジェクタが用いられている。このようなプロジェクタは、光源と、この光源から射出された光束を画像情報に応じて変調して画像を形成する光変調素子と、この光変調素子によって形成された画像を拡大投射する投射レンズを備えて構成されている。
また、このようなプロジェクタは、プロジェクタ本体の制御を司るＣＰＵ（Central Processing Unit）およびメモリ等を備えて構成されるのが一般的であり、ＣＰＵは、メーカサイドでメモリに記録された制御用データ（制御プログラムおよび各種データ等）に基づいて、例えば、画像形成時の光源の輝度制御、および、光変調素子の駆動制御等の制御を行う。
【０００３】
ところで、制御用データは、本来、あまり変更が加えられないものであるが、バージョンアップおよび不具合等のために、当該制御用データの更新が必要な場合がある。
このような制御用データのうち、制御プログラムの更新について、ＶＴＲによってテープに記録されたアナログデータを、プログラム導入装置（アダプタ）を介してデジタルデータに変換し、このデジタルデータをプロジェクタに出力して制御プログラムを導入するプログラム導入方法が知られている（例えば、特許文献１参照）。
【０００４】
また、バージョンアップ用プログラムが記録されたＤＶＤ（Digital Versatile Disc）から更新プログラムを読み出して、装置内のメモリに記録された制御プログラムを更新する映像再生装置が知られている（例えば、特許文献２参照）。
このような特許文献１に記載のプログラム導入方法、および、特許文献２に記載の映像再生装置によれば、外部から制御プログラムを導入して、メモリに格納された制御プログラムを更新することが可能である。
【０００５】
【特許文献１】特開平１０−３２０１８３号公報
【特許文献２】特開２０００−１１２７２３号公報
【発明の開示】
【発明が解決しようとする課題】
【０００６】
しかしながら、特許文献１のプログラム導入方法では、テープ等に記録されているデータはアナログデータであるので、当該アナログデータをデジタル変換してプログラムデータを生成出力するプログラム導入装置が必要になるという問題がある。
また、特許文献２に記載の映像再生装置では、ＤＶＤから更新用データを取得して、当該映像再生装置のメモリに格納された制御プログラムを更新することを想定しているので、映像再生装置に接続された画像表示装置のメモリに格納された制御プログラムを更新することができないという問題がある。
このように、制御プログラムを更新する場合、特許文献１に記載のプログラム導入方法では、更新用データを出力する装置との間に別途装置を介在させる必要があり、また、特許文献２に記載の映像再生装置では、当該映像再生装置が、更新処理を実施する機器の制御を行う必要があるという問題がある。
【０００７】
本発明の目的は、画像情報を出力する機器以外に別途機器を設ける必要がなく、また、当該機器の制御を要せずに、当該制御用データの更新を自動的に実行することができる画像表示装置を提供することである。
【課題を解決するための手段】
【０００８】
前記した目的を達するために、本発明の画像表示装置は、入力する画像情報に応じた画像を形成する画像形成手段と、この画像形成手段を含む装置本体を制御する制御手段と、画像情報出力機器が接続され、前記画像情報が入力される画像情報入力端子とを備えた画像表示装置であって、前記制御手段によって前記装置本体を制御する制御用データが記録された書換可能なメモリを備え、前記制御手段は、前記画像情報入力端子から入力する画像情報に前記制御用データを更新する更新用データが含まれているか否かを判定するデータ判定部と、当該データ判定部により更新用データが含まれていると判定されると、前記更新用データが含まれる画像情報のうち、当該更新用データが含まれていないヘッダ部分の画像データを基準データとして、当該基準データにかけられた変調関数を検出する変調関数検出部と、検出された変調関数の逆関数となる復調関数を生成する復調関数生成部と、生成された復調関数を、前記更新用データにかけて前記制御手段で読取可能な更新用データに復調するデータ復調部と、復調された更新用データに基づいて、前記メモリの制御用データを更新するデータ更新部とを備えていることを特徴とする。
【０００９】
ここで、制御用データとは、制御手段によって実行されるファームウェア等の制御プログラム、および、装置本体を構成する各種電子部品の駆動を制御するためのデータを総称して表すものである。
また、画像情報入力端子としては、ＤＶＩ（Digital Visual Interface）端子、および、ＨＤＭＩ（High Definition Multimedia Interface）端子等のデジタル接続規格に準拠した入力端子とすることができる。
【００１０】
本発明によれば、画像表示装置は、入力する画像情報に含まれる更新用データを抽出して、当該更新用データに基づいて、画像表示装置の制御用データを更新することができる。
すなわち、制御手段のデータ判定部により、入力する画像情報に、画像表示装置の制御用データを更新するための更新用データが含まれていると判定されると、制御手段のデータ抽出部により更新用データが抽出される。また、変調関数検出部により、画像データを基準データとして変調関数が検出され、復調関数生成部により、更新用データを制御手段で読取可能な更新用データに復調する復調関数が生成され、この復調関数に基づいて、データ復調部により、更新用データが復調される。この復調された更新用データに基づいて、データ更新部により、メモリの制御用データが更新される。
従って、画像表示装置に接続される画像情報出力機器以外の機器を別途必要とせず、また、当該機器による制御を必要とせずに、制御用データの更新処理を自動的に実行することができる。
【００１１】
また、制御手段による制御用データの更新処理に際して、更新用データは、画像情報に含めて出力されるので、当該映像再生装置により調整が行われている可能性がある。具体的に、画像情報に加わる画質調整等の補正が、更新用データに対しても加わる場合がある。このような場合、出力された更新用データをそのまま用いても、制御手段による読み取りができない場合がある。このような場合、制御用データの更新処理が適切に行われず、画像表示装置の動作に不具合が発生する場合がある。
これに対し、本発明では、変調関数検出部が、当該更新用データに対して施された変調関数を検出し、当該変調関数に対応する復調関数を、復調関数生成部により生成して、当該復調関数に基づいて更新用データが復調される。これによれば、画像情報から抽出した更新用データを、制御手段によって読取可能な更新用データに復調することができるので、当該復調した更新用データに基づいて制御用データを更新して、適切に制御用データの更新処理を実施することができる。
【００１２】
さらに、変調関数検出部により、ヘッダ部分の画像データを基準データとして変調関数が検出され、復調関数生成部により、変調関数に応じた復調関数が生成されるので、画像情報出力機器において、画像情報にどのような補正が加わっている場合であっても、確実に、更新用データを、制御手段で読取可能な更新用データに復調することができる。
【００１３】
本発明では、複数の変調関数と、各変調関数に対する復調関数とを対応させた参照テーブルを記憶した参照テーブル記憶部を備え、前記復調関数生成部は、前記参照テーブルに基づいて復調関数を生成することが好ましい。
本発明によれば、参照テーブル記憶部に記憶された参照テーブルに基づいて、復調関数生成部が、変調関数検出部により検出された変調関数に対する復調関数を生成することができる。これによれば、復調関数は、参照テーブルに予め記憶された復調関数から選択されて生成されるので、変調関数に対応する復調関数を新たに生成する場合より、復調関数の生成に要する時間を短くすることができる。従って、制御用データの更新処理を、より短時間で実施することができる。
【００１４】
本発明では、前記制御手段は、前記変調関数検出部、前記復調関数生成部、データ復調部、および、データ更新部の実行中、前記画像形成部に、入力する画像情報に基づく画像以外のブランク画像を形成させるブランク画像形成指令部を備えていることが好ましい。
ここで、画像情報に更新用データが含まれていると、当該画像情報を画像形成のためのデータとして利用することができない場合がある。このような場合に、入力する画像情報に基づいて画像形成を行うと、乱れた画像が形成されてしまうので、使用者に不快感を与える可能性がある。また、本発明の画像表示装置においては、制御用データの更新処理中は、変調関数検出部、復調関数生成部、データ変調部およびデータ更新部の少なくともいずれかは実行中となる。
このような場合に、ブランク画像形成指令部により、画像形成手段でブランク画像が形成されるので、使用者に不快感を与えないようにすることができる。
なお、画像形成部において、制御用データが更新中である旨の画像を形成してもよく、この場合、制御用データが更新中であることを、使用者に確実に通知することができる。
【００１５】
本発明では、前記更新用データが含まれる画像情報は、当該更新用データが含まれていないフッタ部分に、フッタ画像データを備え、前記制御手段は、前記データ判定部により前記フッタ画像データを検出し、前記データ抽出部により更新用データを抽出し、前記変調関数検出部により変調関数を検出し、前記復調関数生成部により復調関数を生成し、前記データ復調部により前記更新用データを復調し、前記データ更新部により前記制御用データを更新すると、前記制御用データの更新終了を認識する終了認識部を備えていることが好ましい。
本発明によれば、データ判定部によるフッタ画像データの検出をトリガーとして、データ抽出部、変調関数検出部、復調関数生成部、データ復調部およびデータ更新部の各処理が終了したことを認識する終了認識部を備えているので、制御用データの更新処理の終了を正確に認識することができる。従って、終了認識部から画像形成部に、制御用データの更新処理が終了した旨を示す画像を形成させ、使用者に当該更新処理が終了したことを通知することも可能である。
【００１６】
本発明では、前記制御手段は、前記データ復調部で復調された前記更新用データに、復調誤りがないかどうかを判定する復調正誤判定部を備えていることが好ましい。
このような復調正誤判定部による復調誤りの検出は、復調された更新用データの検査合計値を算出し、この検査合計値と、当該検査合計値に対する照合値とを比較することにより、復調誤りがないかどうかを判定する検出方法とすることができる。
本発明によれば、復調正誤判定部により、復調された更新用データに復調誤りがあるかどうか、すなわち、復調された更新用データが、制御手段によって読取可能なデータであるか否かの判定が行われる。これにより、更新用データの信頼性、ひいては、更新処理が施された制御用データの信頼性を向上することができる。
【発明を実施するための最良の形態】
【００１７】
以下、本発明の一実施形態を図面に基づいて説明する。
（１）プロジェクタ１の接続態様
図１は、本実施形態に係るプロジェクタ１の接続態様を示す図である。
プロジェクタ１は、図１に示すように、画像情報出力機器１０と接続され、当該画像情報出力機器１０から入力する画像情報に応じた画像を形成し、当該画像を拡大投射するものである。
【００１８】
画像情報出力機器１０は、ＤＶＤ（Digital Versatile Disc）およびＣＤ（Compact Disc）等のメディアを再生して、当該メディアに記録された画像情報を出力するプレイヤ１０Ａおよびパーソナルコンピュータ１０Ｂ等を例示することができる。
また、プロジェクタ１と画像情報出力機器１０との接続形式は、ＤＶＩ（Digital Visual Interface）規格、および、ＨＤＭＩ（High Definition Multimedia Interface）規格等のデジタル接続規格に準拠した接続形式とすることができる。
【００１９】
プロジェクタ１は、略直方体形状の合成樹脂製の筐体２と、この筐体２内部に収納される装置本体（図示省略）とを備えている。
装置本体は、画像形成および形成した画像の拡大投射を行う光学ユニット４と、入力する画像情報に応じた光学ユニット４を含む装置本体の駆動制御を行う制御基板５と、これらに駆動電力を供給する電源ユニット（図示省略）とを備えて構成されている。
このうち、電源ユニットは、外部電源から入力する交流電流を直流電流に変換し、当該直流電流を、装置本体を構成する電子部品に応じた所定の電圧に変換して当該電子部品に供給するとともに、当該直流電流から交流矩形波電流を生成して後述する光学ユニット４の光源装置４１１に供給する。
【００２０】
（２）光学ユニット４の構成
図２は、光学ユニット４の構成を模式的に示す図である。
光学ユニット４は、光源装置から射出された光束を画像情報に応じて変調して画像を形成し、投射レンズ３を介してスクリーン等の投射面上に投射画像を形成するものである。この光学ユニット４は、図２に示すように、投射レンズ３と、インテグレータ照明光学系４１と、色分離光学系４２と、リレー光学系４３と、光変調装置および色合成光学装置を一体化した光学装置４４と、これら光学部品４１，４２，４３，４４を収納配置する光学部品用筐体４５とに機能的に大別される。
このうち、投射レンズ３は、詳しい図示を省略するが、鏡筒３Ａ内部に複数のレンズが収納された組レンズとして構成されている。
【００２１】
インテグレータ照明光学系４１は、光源から射出された光束を照明光軸直交面内における照度を均一にするための光学系である。このインテグレータ照明光学系４１は、光源装置４１１、第１レンズアレイ４１２、第２レンズアレイ４１３、偏光変換素子４１４、および重畳レンズ４１５を備えて構成されている。
【００２２】
光源装置４１１は、放射光源としての光源ランプ４１１Ａ、リフレクタ４１１Ｂ、およびリフレクタ４１１Ｂの光束射出面を覆う防爆ガラス４１１Ｃを備えている。そして、光源ランプ４１１Ａから射出された放射状の光束は、リフレクタ４１１Ｂで反射されて略平行光束とされ、外部へと射出される。
なお、本実施形態では、光源ランプ４１１Ａとして、高圧水銀ランプを採用しているが、これに限らず、例えばメタルハライドランプやハロゲンランプ等を採用してもよい。また、リフレクタ４１１Ｂとして放物面鏡を採用しているが、これに限らず、楕円面鏡からなるリフレクタの射出面に平行化凹レンズを配置した構成を採用してもよい。
【００２３】
第１レンズアレイ４１２は、照明光軸方向から見てほぼ矩形状の輪郭を有する小レンズがマトリクス状に配列された構成を具備している。各小レンズは、光源ランプ４１１Ａから射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ，４４１Ｇ，４４１Ｂ上に結像させる機能を有する。
【００２４】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に光学装置４４の後述する液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１１Ａからの光束の略半分が利用されない。このため、偏光変換素子４１４を用いて、光源ランプ４１１Ａから射出された光束を略１種類の偏光光に変換することにより、光学装置４４における光の利用効率を高めている。なお、このような偏光変換素子４１４は、例えば、特開平８−３０４７３９号公報に紹介されている。
【００２５】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１，４２２により赤（Ｒ）、緑（Ｇ）、青（Ｂ）の３色の色光に分離される。
リレー光学系４３は、入射側レンズ４３１と、一対のリレーレンズ４３３と、反射ミラー４３２，４３５とを備えている。このリレー光学系４３は、色分離光学系４２で分離された色光である青色光を、光学装置４４の後述する液晶パネル４４１Ｂまで導く機能を有している。
【００２６】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４１９を通って、赤色用の液晶パネル４４１Ｒに到達する。このフィールドレンズ４１９は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４１９も同様である。
【００２７】
また、ダイクロイックミラー４２１を透過した青色光と緑色光のうちで、緑色光は、ダイクロイックミラー４２２によって反射し、フィールドレンズ４１９を通って、緑色光用の液晶パネル４４１Ｇに到達する。一方、青色光は、ダイクロイックミラー４２２を透過してリレー光学系４３を通り、さらにフィールドレンズ４１９を通って、青色光用の液晶パネル４４１Ｂに到達する。
なお、青色光にリレー光学系４３が用いられているのは、青色光の光路の長さが他の色光の光路の長さよりも長いため、光の発散等による光の利用効率の低下を防止するためである。すなわち、入射側レンズ４３１に入射した部分光束をそのまま、フィールドレンズ４１９に伝えるためである。なお、リレー光学系４３には、３つの色光のうちの青色光を通す構成としたが、これに限らず、例えば、赤色光を通す構成としてもよい。
【００２８】
光学装置４４は、入射された光束を画像情報に応じて変調してカラー画像を形成する。この光学装置４４は、色分離光学系４２で分離された各色光が入射される３つの入射側偏光板４４２と、この入射側偏光板４４２の後段に配置される光変調装置としての液晶パネル４４１（４４１Ｒ，４４１Ｇ，４４１Ｂ）および射出側偏光板４４４と、色合成光学装置としてのクロスダイクロイックプリズム４４５とを備える。
【００２９】
液晶パネル４４１（４４１Ｒ，４４１Ｇ，４４１Ｂ）は、本発明の画像形成手段に相当する。この液晶パネル４４１は、例えば、ポリシリコンＴＦＴをスイッチング素子として用いたものであり、対向配置される一対の透明基板内に液晶が密封封入されている。そして、この液晶パネル４４１Ｒ，４４１Ｇ，４４１Ｂは、入射側偏光板４４２を介して入射する光束を画像情報に応じて変調して射出する。
【００３０】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみを透過させ、その他の光束を吸収するものであり、透過させる偏光光の偏光軸は、入射側偏光板４４２における透過させる偏光光の偏光軸に対して直交するように設定されている。
【００３１】
クロスダイクロイックプリズム４４５は、射出側偏光板４４４から射出され、色光毎に変調された光学像を合成して、カラー画像を形成するものである。このクロスダイクロイックプリズム４４５には、赤色光を反射する誘電体多層膜と、青色光を反射する誘電体多層膜とが、４つの直角プリズムの界面に沿って略Ｘ字状に設けられ、これらの誘電体多層膜により３つの色光が合成される。
【００３２】
光学部品用筐体４５は、詳しい図示を省略するが、上方が開口し、箱状に形成された部品収納部材と、この部品収納部材の開口を覆う蓋状部材から構成されている。このうち、部品収納部材には、多数の溝部が形成され、これらの溝に、前述の光学部品４１，４２，４３，４４を構成する部品を嵌め込むことによって、それぞれの部品が部品収納部材に収納される。
【００３３】
（３）制御基板５の構成
図３は、制御基板５の構成を示すブロック図である。
制御基板５は、図３に示すように、画像情報入力端子５７を介して、画像情報出力機器１０から画像情報が入力するフレームメモリ５１と、画像表示用設定情報および制御用データが格納されるフラッシュメモリ５２と、制御用データを更新するための更新用データが格納されるＲＡＭ（Random Access Memory）５３と、後述する参照テーブルが格納されるＲＯＭ（Read Only Memory）５４と、液晶パネル４４１を駆動制御する表示制御系５５と、装置本体の駆動制御を行う主制御系５６とを備えて構成されている。
このうち、フレームメモリ５１は、画像情報入力端子５７と接続され、当該画像情報入力端子５７を介して入力する画像情報を、一時的に保持する。
【００３４】
フラッシュメモリ５２は、本発明のメモリに相当し、電気的に書換えが可能に構成されている。このフラッシュメモリ５２は、後述する表示制御系５５による液晶パネル４４１の駆動制御の際に参照される画像表示用設定データ、および、後述する主制御系５６による装置本体の駆動制御の際に参照される制御用データを記憶する。このため、フラッシュメモリ５２は、画像表示用設定データを格納する画像表示用設定データ格納領域５２１、および、制御用データを格納する制御用データ格納領域５２２を備えて構成されている。
【００３５】
ここで、画像表示用設定データは、例えば、液晶パネル４４１によって形成される光学像の色合い、色の濃さ、コントラスト、シャープネス、ブライトネス等の画質情報を表すものである。
また、制御用データは、主制御系５６によって実行されるファームウェア等の制御プログラム、および、各種電子部品の駆動を制御するためのデータを総称して表すものである。
【００３６】
ＲＡＭ５３は、フレームメモリ５１に入力する画像情報に含まれる更新用データを記憶するものであり、後述する主制御系５６による制御用データの更新処理に際して、作業メモリとして機能する。このため、ＲＡＭ５３は、更新用データを格納する更新用データ格納領域５３１を備えて構成されている。
ＲＯＭ５４は、本発明の参照テーブル記憶部に相当し、参照テーブルを記憶している。このため、ＲＯＭ５４は、当該参照テーブルを格納する参照テーブル格納領域５４１を備えて構成されている。
【００３７】
表示制御系５５は、主制御系５６とともに、本発明の制御手段を構成するものである。
表示制御系５５は、画像形成制御部５５１と、ブランク画像形成部５５２と、終了画像形成部５５３とを備えて構成されている。
【００３８】
画像形成制御部５５１は、液晶パネル４４１の駆動を制御するものであり、フレームメモリ５１に入力する画像情報を読み込んで、当該画像情報に含まれるフレーム情報から水平同期信号および垂直同期信号を生成し、これらの同期信号に基づいて液晶パネル４４１（４４１Ｒ，４４１Ｇ，４４１Ｂ）を駆動して光学像を形成する。この際、表示制御系５５は、フラッシュメモリ５２の画像表示用設定データ格納領域５２１に格納された画像表示用設定データを参照して、当該画像表示用設定データに基づいて、液晶パネル４４１を駆動制御する。
【００３９】
ブランク画像形成部５５２は、後述する主制御系５６から、ブランク画像形成信号が入力すると、当該ブランク画像形成信号が入力している間、液晶パネル４４１によってブランク画像を形成するための映像信号を生成して、画像形成制御部５５１に出力する。
また、終了画像形成部５５３は、主制御系５６から、終了画像形成信号が入力すると、制御用データの更新処理が終了した旨の画像を、液晶パネル４４１によって形成するための映像信号を生成して、画像形成制御部５５１に出力する。
【００４０】
主制御系５６は、ＣＰＵ（Central Processing Unit）等を備えて構成され、表示制御系５５とともに、本発明の制御手段を構成する。
この主制御系５６は、フラッシュメモリ５２の制御用データ格納領域５２２に格納された制御用データを読み込んで、当該制御用データに基づいてプロジェクタ１の装置本体の駆動制御を行う。また、主制御系５６は、画像情報出力機器１０から入力する画像情報に、当該制御用データを更新するための更新用データが含まれている場合には、当該更新用データを用いて、制御用データ格納領域５２２に格納された制御用データを更新する。
このため、主制御系５６は、制御用データの更新処理を実行するために、データ判定部５６１、データ抽出部５６２、変調関数検出部５６３、復調関数生成部５６４、データ復調部５６５、復調正誤判定部５６６、データ更新部５６７、ブランク画像形成指令部５６８、および、終了認識部５６９を備えて構成されている。
【００４１】
データ判定部５６１は、フレームメモリ５１に入力する画像情報を判定する。
具体的には、データ判定部５６１は、画像情報に含まれるヘッダ部分の画像データが、映像データを示すデータであるのか、または、制御用データを更新するための更新用データを示すデータであるのかを判定する。そして、当該画像データが、映像データを示すものであれば、データ判定部５６１は、映像データが入力した旨の信号を表示制御系５５の画像形成制御部５５１に出力し、当該画像形成制御部５５１による画像形成を実行させる。
一方、画像データが更新用データを示すものであれば、データ判定部５６１は、制御用データの更新処理を開始する更新処理開始信号を、データ抽出部５６２およびブランク画像形成指令部５６８に出力する。
【００４２】
また、データ判定部５６１は、更新用データが含まれる画像情報において、当該更新用データが含まれていない部分に、更新用データの末尾を示す画像データ（フッタ画像データ）が含まれているかを判定する。そして、データ判定部５６１は、フッタ画像データを検出すると、データ抽出部５６２および終了認識部５６９に、フッタ画像を検出した旨を示す処理終了信号を出力する。
【００４３】
データ抽出部５６２は、データ判定部５６１から更新処理開始信号が入力すると、フレームメモリ５１に保持される画像情報から更新用データを抽出して、ＲＡＭ５３の更新用データ格納領域５３１に格納する。
また、データ抽出部５６２は、データ判定部５６１から処理終了信号が入力すると、フレームメモリ５１からの更新用データの抽出を終了し、更新用データの抽出が完了した旨の処理終了信号を、変調関数検出部５６３、ブランク画像形成指令部５６８および終了認識部５６９に出力する。
これによれば、データ抽出部５６２による更新用データの抽出が終了した後に、変調関数検出部５６３による処理を開始することができるので、主制御系５６の処理の負荷を軽減できるとともに、抽出した更新用データの信頼性を向上することができる。
なお、変調関数検出部５６３に出力する処理終了信号は、データ抽出部５６２による更新用データの抽出が開始した直後に出力してもよい。これによれば、変調関数検出部５６３による処理を、迅速に開始することができる。
【００４４】
変調関数検出部５６３は、データ抽出部５６２から抽出完了信号が入力すると、画像情報のヘッダ部分の画像データを基準データとして、当該基準データに加えられた変調関数を検出する。また、変調関数検出部５６３は、変調関数の検出後、復調関数生成部５６４、ブランク画像形成指令部５６８および終了認識部５６９に、変調関数を検出した旨を示す処理終了信号を出力する。
【００４５】
復調関数生成部５６４は、変調関数検出部５６３から処理終了信号が入力すると、ＲＯＭ５４の参照テーブル格納領域５４１に格納された参照テーブルを参照する。この参照テーブルは、複数の変調関数と、各変調関数に対応する復調関数とが、対応関係を維持しつつ形成されたデータテーブルである。そして、復調関数生成部５６４は、変調関数検出部５６３で検出した変調関数に対応し、かつ、この変調関数の逆関数となる復調関数を、参照テーブルから選択して、更新用データを復調するための復調関数を生成する。
【００４６】
ここで、画像情報出力機器１０から入力する画像情報は、当該画像情報出力機器１０にて、変調（データの修飾）が行われた状態で出力される場合がある。例えば、画像情報出力機器１０において、画像の明るさ、および、コントラスト等のガンマ補正が行われている場合には、画像情報だけでなく、当該画像情報に含まれる更新用データに対しても、そのような変調が加えられる可能性がある。このため、画像情報から抽出した更新用データを、主制御系５６によって読み取りが可能な更新用データに復調する必要がある。ゆえに、変調関数検出部５６３により変調関数を検出し、復調関数生成部５６４により復調関数を生成する。
復調関数を生成した復調関数生成部５６４は、復調関数を生成した旨を示す処理終了信号を、データ復調部５６５、ブランク画像形成指令部５６８および終了認識部５６９に出力する。
【００４７】
データ復調部５６５は、復調関数生成部５６４から処理終了信号が入力すると、ＲＡＭ５３の更新用データ格納領域５３１に格納された更新用データを、復調関数に基づいて、主制御系５６にて読取可能な更新用データに復元する。具体的には、更新用データ格納領域５３１に格納された更新用データに、復調関数生成部５６４で生成された復調関数をかけて復調する。このようにして復調された更新用データは、データ復調部５６５によって、再び更新用データ格納領域５３１に格納される。
この処理の後、データ復調部５６５は、更新用データの復調が完了した旨を示す処理終了信号を、復調正誤判定部５６６、ブランク画像形成指令部５６８および終了認識部５６９に出力する。
【００４８】
復調正誤判定部５６６は、データ復調部５６５から処理終了信号が入力すると、ＲＡＭ５３の更新用データ格納領域５３１に格納された復調済みの更新用データに、復調誤りがないかを判定する。すなわち、更新用データが、主制御系５６により読取可能であるデータであるかを判定する。具体的には、復調済みの更新用データの照合値を除いた検査合計値（チェックサム）を算出し、当該検査合計値と照合値と比較する。
ここで、検査合計値が照合値と一致しない場合には、制御用データの更新が失敗した旨の更新処理エラー信号を表示制御系５５の画像形成制御部５５１に出力する。この更新処理エラー信号が入力した表示制御系５５では、制御用データの更新中にエラーが発生した旨を示す画像を形成する。
一方、検査合計値が、照合値と一致する場合には、復調正誤判定部５６６は、更新用データの正誤判定が適切に終了した旨を示す処理終了信号を、データ更新部５６７、ブランク画像形成指令部５６８および終了認識部５６９に出力する。
【００４９】
データ更新部５６７は、復調正誤判定部５６６から処理終了信号が入力すると、ＲＡＭ５３の更新用データ格納領域５３１に格納されている更新用データで、フラッシュメモリ５２の制御用データ格納領域５２２の制御用データを更新する。
なお、制御用データの更新処理は、更新用データで、制御用データ格納領域５２２の制御用データを上書きする場合と、更新用データに含まれるプログラムをデータ更新部５６７が実行して、制御用データの一部を更新する場合がある。いずれかの場合が選択されるかは、更新用データの内容をデータ更新部５６７が判定して更新処理を実行するようにしてもよい。また、ヘッダ部分の画像データに、更新処理が、上書き更新か、または、部分更新かの情報を含むようにして、この情報を判定して更新処理を実行するようにしてもよい。
このような更新処理の後、データ更新部５６７は、制御用データの更新処理が終了した旨の処理終了信号を、ブランク画像形成指令部５６８および終了認識部５６９に出力する。
【００５０】
ブランク画像形成指令部５６８は、表示制御系５５のブランク画像形成部５５２にブランク画像形成信号を出力して、当該ブランク画像形成部５５２による処理を実行させる。このブランク画像形成指令部５６８は、データ判定部５６１からの更新処理開始信号の入力をトリガーとして、ブランク画像形成部５５２にブランク画像形成信号を出力する。
また、このブランク画像形成指令部５６８によるブランク画像形成信号は、データ判定部５６１、データ抽出部５６２、変調関数検出部５６３、復調関数生成部５６４、データ復調部５６５、復調正誤判定部５６６およびデータ更新部５６７のそれぞれから処理終了信号が入力するまで出力される。すなわち、各処理部５６１〜５６７での制御用データの更新処理が実行されている間、ブランク画像形成信号は出力される。そして、各処理部５６１〜５６７から処理終了信号が入力した後、ブランク画像形成指令部５６８は、ブランク画像形成信号の出力を停止し、終了認識部５６９に、ブランク画像形成指令部５６８における処理が終了した旨の処理終了信号を出力する。
ここで、ブランク画像とは、例えば、単色の画像のみを示すのではなく、制御用データの更新処理中であることを示す文字等を含んでいてもよい。
【００５１】
終了認識部５６９は、各処理部５６１〜５６８での処理が終了したことを認識すると、すなわち、各処理部５６１〜５６８のそれぞれから処理終了信号が入力すると、表示制御系５５の終了画像形成部５５３に、終了画像形成信号を出力する。この終了認識部５６９の処理により、制御用データの更新処理が完了する。
【００５２】
（４）制御用データ更新処理
以下に、主制御系５６による制御用データの更新処理を説明する。
図４は、主制御系５６による制御用データの更新処理の処理フローを示す図である。
まず、主制御系５６のデータ判定部５６１により、画像情報出力機器１０から出力され、画像情報入力端子５７を介してフレームメモリ５１に入力する画像情報のヘッダ部分の画像データが判定される（処理Ｓ１１）。この処理Ｓ１１により、画像情報のヘッダ部分の画像データが、映像データであると判定された場合には、データ判定部５６１により、表示制御系５５の画像形成制御部５５１に画像形成信号が出力される（処理Ｓ３１）。当該画像形成信号が入力した画像形成制御部５５１は、フレームメモリ５１を参照して、画像情報に含まれる映像データに基づいて、液晶パネル４４１を駆動して画像を形成する（処理Ｓ３２）。
【００５３】
一方、データ判定部５６１により、入力した画像情報に、制御用データを更新する更新用データが含まれていると判定された場合、当該データ判定部５６１から、更新処理開始信号が、データ抽出部５６２およびブランク画像形成指令部５６８に出力される（処理Ｓ１２）。この更新処理開始信号が入力したブランク画像形成指令部５６８は、表示制御系５５のブランク画像形成部５５２に、ブランク画像形成信号を出力し、当該ブランク画像形成部５５２の処理により、ブランク画像が形成される（処理Ｓ１３）。
【００５４】
また、更新処理開始信号が入力したデータ抽出部５６２は、フレームメモリ５１に保持される画像情報からの更新用データ抽出を開始して、ＲＡＭ５３の更新用データ格納領域に格納する（処理Ｓ１４）。
ここで、データ判定部５６１は、入力する画像情報の内容を監視し続けており、当該画像情報にフッタ画像データが含まれているかを判定する（処理Ｓ１５）。この際、データ判定部５６１により、フッタ画像データが含まれていないと判定された場合は、処理Ｓ１４に戻って、データ抽出部５６２による更新用データの抽出処理が継続される。
一方、データ判定部５６１により、入力する画像情報にフッタ画像データが含まれていると判定された場合には、データ判定部５６１は、データ抽出部５６２、ブランク画像形成指令部５６８および終了認識部５６９に処理終了信号を出力する。そして、当該処理終了信号が入力したデータ抽出部５６２は、更新用データの抽出を終了する（処理Ｓ１６）。この後、データ抽出部５６２は、変調関数検出部５６３、ブランク画像形成指令部５６８および終了認識部５６９に処理終了信号を出力する。
【００５５】
処理終了信号が入力した変調関数検出部５６３は、ヘッダ部分の画像データから、当該画像データに加えられた変調関数を検出する（処理Ｓ１７）。この後、変調関数検出部５６３は、復調関数生成部５６４、ブランク画像形成指令部５６８および終了認識部５６９に、処理終了信号を出力する。
【００５６】
処理終了信号が入力した復調関数生成部５６４は、ＲＯＭ５４の参照テーブル格納領域５４１に格納された参照テーブルを参照（処理Ｓ１８）し、変調関数に応じた復調関数を選択して、更新用データを復調する復調関数を生成する（処理Ｓ１９）。この処理Ｓ１９の後、復調関数生成部５６４は、データ復調部５６５、ブランク画像形成指令部５６８および終了認識部５６９に対して、処理終了信号を出力する。
【００５７】
処理終了信号が入力したデータ復調部５６５は、処理Ｓ１９で生成された復調関数を用いて、同じくＲＡＭ５３の更新用データ格納領域５３１に格納された更新用データを復調する（処理Ｓ２０）。これにより、画像情報から抽出された更新用データは、制御用データを更新できるデータ、すなわち、主制御系５６によって読取可能な更新用データに復調される。この処理Ｓ２０の後、データ復調部５６５は、復調正誤判定部５６６、ブランク画像形成指令部５６８および終了認識部５６９に対して、処理終了信号を出力する。
【００５８】
処理終了信号が入力した復調正誤判定部５６６は、更新用データが適切に復調されたか否かを判定する。すなわち、復調された更新用データが、主制御系５６のデータ更新部５６７によって読取可能なデータであるかを判定する（処理Ｓ２１）。具体的に、この処理Ｓ２１では、復調正誤判定部５６６は、復調された更新用データに含まれる照合値を除いた検査合計値を算出し、当該検査合計と照合値と比較する。
ここで、検査合計値と照合値とが一致しなかった場合は、復調正誤判定部５６６は、エラー処理を実行する（処理Ｓ２２）。このようなエラー処理として、復調正誤判定部５６６は、表示制御系５５の画像形成制御部５５１、スピーカおよびインジケータ（ともに図示省略）にエラー信号を出力する。エラー信号が入力した画像形成制御部５５１は、液晶パネル４４１を駆動して、制御用データの更新処理にエラーが発生した旨の画像を形成する。また、エラー信号が入力したスピーカおよびインジケータは、警告音発生および点滅処理を実行する。このようなエラー処理を実行した後、制御用データの更新処理は終了する。
一方、検査合計値と照合値とが一致した場合は、復調正誤判定部５６６は、データ更新部５６７、ブランク画像形成指令部５６８および終了認識部５６９に対して、処理終了信号を出力する。
【００５９】
処理終了信号が入力したデータ更新部５６７は、ＲＡＭ５３の更新用データ格納領域５３１に格納された復調後の更新用データを用いて、フラッシュメモリ５２の制御用データ格納領域５２２に格納された制御用データを更新する（処理Ｓ２３）。
ここで、データ更新部５６７は、復調後の更新用データの内容から、制御用データを上書き更新するのか、あるいは、更新用データに含まれるプログラムを実行して、制御用データを部分更新するのかを判定して、当該更新処理を実行する。
この処理Ｓ２３の後、データ更新部５６７は、ブランク画像形成指令部５６８および終了認識部５６９に対して、処理終了信号を出力する。
【００６０】
処理終了信号が入力したブランク画像形成指令部５６８には、前述の処理部５６１〜５６７からそれぞれ処理終了信号が入力したこととなり、これにより、ブランク画像形成指令部５６８は、表示制御系５５のブランク画像形成部５５２に対するブランク画像形成信号の出力を停止し、当該ブランク画像形成部５５２によるブランク画像形成を停止させる（処理Ｓ２４）。これとともに、ブランク画像形成指令部５６８は、終了認識部５６９に、処理終了信号を出力する。
【００６１】
処理終了信号が入力した終了認識部５６９には、各処理部５６１〜５６８から処理終了信号が入力したこととなる。そして、終了認識部５６９は、表示制御系５５の終了画像形成部５５３に、終了画像形成信号を出力し、当該終了画像形成部５５３は、制御用データの更新処理が完了した旨の終了画像を形成する（処理Ｓ２５）。これにより、制御用データの更新処理が完了する。
このような制御用データの更新処理の後、図示しないリセットスイッチを入力することによって、プロジェクタ１が再起動され、当該プロジェクタ１は通常運転状態となる。なお、リセットスイッチの入力がなくても、終了画像形成が行われてから所定の時間が経過すると、プロジェクタ１が自動的に再起動され、通常運転状態となるようにしてもよい。
【００６２】
以上説明した本実施形態のプロジェクタ１により、以下のような効果を奏することができる。
すなわち、画像情報出力機器１０から入力する画像情報に含まれる更新用データを抽出および復調して、フラッシュメモリ５２の制御用データ格納領域５２２に格納された制御用データの更新を自動的に行うことができる。従って、プロジェクタ１の制御用データを更新する更新用データが含まれる画像情報を出力する画像情報出力機器１０以外に、他の機器を別途設ける必要がなく、簡便に制御用データの更新を行うことができる。また、画像情報出力機器１０は、ＤＶＤおよびＣＤ等のメディア等を再生し、当該メディアに記録された情報を画像情報としてプロジェクタ１に出力するだけであるので、特別な機能を有する画像情報出力機器とする必要もなく、さらに、画像情報出力機器１０による制御も必要とせずに、制御用データの更新処理を実行することができる。
【００６３】
また、変調関数検出部５６３が、画像情報出力機器１０によって変調された画像情報の変調関数を検出し、復調関数生成部５６４が、ＲＯＭ５４の参照テーブルを参照して、変調関数に応じた復調関数を生成する。また、データ復調部５６５は、この復調関数に基づいて、更新用データを復調する。これによれば、画像情報に含まれる更新用データが、画像情報出力機器１０から出力される過程でガンマ補正等、変調関数による変調が行われている場合でも、復調関数に基づいて更新用データを復調できるので、データ更新部５６７によって、制御用データを更新できる更新用データに、確実に、かつ、適切に復調することができる。
さらに、復調関数生成部５６４は、復調関数を、予めＲＯＭ５４に記録された参照テーブルの復調関数から選択して生成するので、制御用データ更新処理の迅速化を図ることができる。
【００６４】
ブランク画像形成指令部５６８は、各処理部５６１〜５６７が実行中、すなわち、各処理部５６１〜５６７から処理終了信号が入力するまで、表示制御系５５のブランク画像形成部５５２に、ブランク画像形成信号を出力し、当該ブランク画像形成部５５２により、液晶パネル４４１は、ブランク画像を形成する。これによれば、画像情報に更新用データが含まれる場合、画像形成に適さない当該画像情報に応じた画像が形成されることを防ぐことができ、これにより、使用者に不快感を与えることを防ぐことができる。
【００６５】
データ判定部５６１は、画像情報の画像データに、更新用データの末端を示すフッタ画像データが含まれていると判定した場合は、データ抽出部５６２に、処理終了信号を出力し、当該データ抽出部５６２は、更新用データの抽出を終了する。これによれば、データ判定部５６１が更新用データの末端を検出することにより、更新用データとして不要なデータが抽出され、当該データが有限な容量のＲＡＭ５３の更新用データ格納領域５３１に格納されることを防ぐことができる。従って、ＲＡＭ５３の容量を小さく構成することができ、プロジェクタ１の製造コストを低減することができる。
また、フッタ画像データを検出したデータ判定部５６１を始めとする各処理部５６２〜５６８から、処理終了信号が終了認識部５６９に入力することにより、制御用データの更新処理が終了したことを認識することができる。従って、終了画像を形成する等によって、使用者に制御用データの更新処理が完了したことを通知することができる。
【００６６】
復調された更新用データは、復調正誤判定部５６６により、当該更新用データに復調誤りがないか判定される。これにより、復調された更新用データ、および、この更新用データに基づいて更新される制御用データの信頼性を向上することができる。
また、復調正誤判定部５６６は、復調された更新用データに復調誤りがあった場合には、表示制御系５５等にエラー信号を出力し、当該表示制御系５５は、制御用データの更新処理にエラーが発生した旨の画像を形成するので、使用者に更新処理エラーが発生したことを、確実に通知することができる。
【００６７】
（５）実施形態の変形
本発明を実施するための最良の構成などは、以上の記載で開示されているが、本発明はこれに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【００６８】
前記実施形態では、復調関数生成部５６４は、更新用データを復調する復調関数を、ＲＯＭ５４の参照テーブルを参照して、変調関数検出部５６３により検出された変調関数に応じた復調関数を選択して生成するとしたが、他の方法でもよい。すなわち、検出された変調関数から、当該変調関数の逆関数となる復調関数を、演算して生成してもよい。この場合、ＲＯＭ５４の参照テーブル格納領域５４１の必要性がなくなるほか、画像情報にいかなる変調が加えられていても、復調関数生成部により、復調関数を生成することができる。
【００６９】
前記実施形態では、変調関数検出部５６３は、データ抽出部５６２による更新用データの抽出完了後、すなわち、データ抽出部５６２からの処理終了信号の入力後に、変調関数の検出を行うとしたが、データ抽出部５６２による更新用データの抽出とともに、変調関数検出部５６３による変調関数の検出を実行してもよい。このような場合、更新用データの抽出完了を待たずに、制御用データの更新処理を続行できるので、更新処理に要する時間の短縮を図ることができる。なお、更新用データの抽出が完了した後に、更新処理を続行する場合では、主制御系５６を構成するＣＰＵにかかる負荷を軽減でき、また、更新用データの信頼性を向上することができる。
【００７０】
前記実施形態では、液晶パネル４４１によって形成される光学像の画質情報としての画像表示用設定データと、主制御系５６によって実行される制御プログラム、および、当該主制御系５６による駆動制御で利用される各種データとしての制御用データとを区別したが、本発明はこれに限らない。すなわち、制御用データに画像表示用設定データが含まれる構成としてもよい。このような場合、画像情報出力機器１０から入力する画像情報に、画像表示用設定データを更新するための更新用データが含まれていてもよく、この更新用データに基づいて、主制御系５６が、フラッシュメモリ５２に格納された画像表示用設定データを更新する処理を行ってもよい。
【００７１】
前記実施形態では、制御用データが記録された書換可能なメモリとして、フラッシュメモリ５２を採用したが、ＥＥＰＲＯＭ（Electrically Erasable Programmable Read-Only Memory）を採用してもよく、あるいは、磁気ディスク装置でも光ディスク装置でもよい。なお、フラッシュメモリを採用すれば、当該メモリへの書込、参照、更新、消去を迅速に行うことができるほか、プロジェクタ１を小型化できる。また、ＥＥＰＲＯＭを採用した場合では、格納領域ごとの情報の更新はできないが、フラッシュメモリを採用すれば、情報の部分的な更新が可能である。
また同様に、前記実施形態では、制御基板５は、画像情報、更新用データおよび参照テーブルを格納するフレームメモリ５１、ＲＡＭ５３およびＲＯＭ５４を備えて構成されるとしたが、これらメモリ５１，５３，５４の種類は問わない。すなわち、メモリ５１，５３，５４は、前述した各種データを格納可能なメモリであれば、メモリの種類は問わず、また、磁気ディスク装置および光ディスク装置等で構成してもよい。
【００７２】
前記実施形態では、光学ユニット４が平面視略Ｌ字形状を有した構成を説明したが、これに限らず、例えば、平面視略Ｕ字形状を有した構成を採用してもよい。
また、前記実施形態では、光束入射面と光束射出面とが異なる透過型の液晶パネル４４１を用いたが、光入射面と光射出面とが同一となる反射型の液晶パネルを用いてもよい。
さらに、前記実施形態では、光変調装置として液晶パネル４４１を用いていたが、マイクロミラーを用いたデバイスなど、液晶以外の光変調装置を用いてもよい。この場合は、光束入射側および光束射出側の偏光板を省略することができる。
【００７３】
前記実施形態では、画像表示装置としてプロジェクタ１を例示したが、本発明はこれに限らず、制御用データを有し、画像情報出力機器１０から入力する画像情報に応じて画像を形成するものであれば、他の画像表示装置でもよい。このような画像表示装置として、例えば、ＣＲＴ（Cathode-Ray Tube）ディスプレイ、液晶ディスプレイおよびプラズマディスプレイ等を挙げることができる。
また、前記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【産業上の利用可能性】
【００７４】
本発明は、プロジェクタに好適に利用できる他、画像情報出力機器に接続され、当該画像情報出力機器から入力する画像情報に応じた画像を形成する画像表示装置、例えば、ディスプレイ等にも好適に利用することができる。
【図面の簡単な説明】
【００７５】
【図１】本発明の一実施形態にかかるプロジェクタの接続態様を示す図。
【図２】前記実施形態における光学ユニットの構成を模式的に示す図。
【図３】前記実施形態における制御基板の構成を示すブロック図。
【図４】前記実施形態における制御用データの更新処理の処理フローを示す図。
【符号の説明】
【００７６】
１…プロジェクタ（画像表示装置）、１０…画像情報出力機器、５２…フラッシュメモリ（メモリ）、５４…ＲＯＭ（参照テーブル記憶部）、５５…表示制御系（制御手段）、５６…主制御系（制御手段）、５７…画像情報入力端子、１０Ａ…ＤＶＤプレイヤ、１０Ｂ…パーソナルコンピュータ、４４１（４４１Ｒ，４４１Ｇ，４４１Ｂ）…液晶パネル（画像形成手段）、５６１…データ判定部、５６２…データ抽出部、５６３…変調関数検出部、５６４…復調関数生成部、５６５…データ復調部、５６６…復調正誤判定部、５６７…データ更新部、５６８…ブランク画像形成指令部、５６９…終了認識部。
【図１】
2006098741.tif 000003
【図２】
2006098741.tif 000004
【図３】
2006098741.tif 000005
【図４】
2006098741.tif 000006